(57)【要約】【課題】簡単な構造の衝撃付与機構で篩網の目詰まりを防止し、安定して分級処理が行えるトロンメルを提供する。【解決手段】篩網１の内周面に取り付けた筒部材５（被衝突部材）にボール６（打撃体）を装入し、篩網１の回転に伴って、ボール６が重力により筒部材５の先端の閉塞部５ａとの衝突と離反を繰り返すようにした衝撃付与機構３を設けて、篩網１の目詰まりを防止するようにした。これにより、衝撃付与機構３は駆動源や打撃体の位置調整機構を必要としない簡単な構造とすることができるし、その部品が篩網１の下方に落下することもなく、運転を継続しながら篩網１の目詰まりを防止する効果が得られ、安定して石灰石の分級処理を行うことができ、生産性の向上に寄与できる。【選択図】図２
2015042386.tif 000002
【特許請求の範囲】
【請求項１】
横向きに設置される円筒形の篩網を備え、前記篩網を軸心まわりに回転駆動することにより、前記篩網に投入された被処理物の分級を行うトロンメルにおいて、前記篩網の内周近傍に打撃体を配置し、前記篩網の回転に伴って、前記打撃体が重力により篩網の内周面または篩網の内周面に取り付けられた被衝突部材との衝突と離反を繰り返すようにした衝撃付与機構を設けたことを特徴とするトロンメル。
【請求項２】
前記衝撃付与機構が、前記被衝突部材として、前記篩網の内周面から突出し、その先端が閉塞された筒部材を設け、前記筒部材の内部に前記打撃体を筒部材の軸方向に移動可能に保持したものであることを特徴とする請求項１に記載のトロンメル。
【請求項３】
前記筒部材の内面に、前記篩網の回転に伴って筒部材が上昇するときに、前記筒部材が篩網の周方向の所定位置に達するまで前記打撃体の筒部材先端側への移動を阻止する突起を設けたことを特徴とする請求項２に記載のトロンメル。
【請求項４】
前記衝撃付与機構が、前記打撃体となるハンマーの基端部を、前記篩網の内周面に回動自在に取り付けたものであることを特徴とする請求項１に記載のトロンメル。
【発明の詳細な説明】
【技術分野】
【０００１】
本発明は、軸心まわりに回転駆動される円筒形の篩網で被処理物の分級を行うトロンメルに関する。
【背景技術】
【０００２】
トロンメルは、横向き（軸心が水平または水平に近い傾斜状態）に設置される円筒形の篩網を備え、この篩網を軸心まわりに回転駆動することにより、篩網に投入された被処理物の分級処理（種々の大きさの被処理物をその大きさによって分ける処理）を行う装置である。そして、通常は、篩網の一端側から投入された被処理物を他端側へ送りながら、その被処理物うちで篩網の篩目よりも小さいものを篩目から下方へ落下させ、篩目よりも大きいものは篩網の他端側から排出するようになっている。
【０００３】
このようなトロンメルの用途の一つとして、石灰石を破砕して所定の性状（粒度分布）の製品を製造するプロセスにおいて、ボールミルで破砕した石灰石の分級処理を行うものがある。このプロセスでは、通常、トロンメルの篩網の篩目から下方へ落下した細粒の石灰石を製品とし、篩網の他端側から排出された粗粒の石灰石はボールミルに戻して再度破砕処理を行うようにしている。ところが、被処理物である石灰石はトロンメルの篩網の目詰まりを発生させやすいため、篩網の閉塞に至って製品を回収できなくなることがある。篩網が閉塞してしまうと運転を中断して清掃作業を行う必要があり、それによって生産性が低下するので、運転を継続しながら篩網の目詰まりを防止できるトロンメルが求められている。
【０００４】
一方、上記のような篩網の目詰まりを防止するために、篩網の外周側から篩網に衝撃を与える衝撃付与機構を設けたトロンメルもある（例えば、特許文献１、２）。しかし、このトロンメルを使用した場合は、篩網への繰り返しの衝撃によって衝撃付与機構の取り付けが緩み、その部品の一部が落下して篩網の下方で回収される製品に混入してしまうおそれがある。
【０００５】
これに対し、特許文献３には、篩網内に回転軸を挿通し、その回転軸の外周に複数の打撃体を取り付けた衝撃付与機構を設けて、その回転軸を篩網と逆方向に回転させることにより、回転軸と一体に回転する打撃体を篩網の内周面に衝突させるようにしたトロンメルが提案されている。このように衝撃付与機構を篩網の内部に設ければ、その部品の一部が落下しても、落下した部品は篩網の他端側から排出されてボールミルに送られる途中で排除することができ、製品に混入することはない。
【先行技術文献】
【特許文献】
【０００６】
【特許文献１】特開平１０−２４９２８１号公報
【特許文献２】特開２００３−２５１２８０号公報
【特許文献３】特開平５−５７２４７号公報（図９、１０）
【発明の概要】
【発明が解決しようとする課題】
【０００７】
しかしながら、上記特許文献３に記載されたトロンメルでは、衝撃付与機構の回転軸を回転させるための駆動源を必要とするし、打撃体が篩網に効果的に衝突しつつスムーズに回転するように、打撃体の位置すなわち回転軸の軸受位置を調整する機構も必要となるため、構造が複雑になるという問題がある。
【０００８】
そこで、本発明は、簡単な構造の衝撃付与機構で篩網の目詰まりを防止し、安定して分級処理が行えるトロンメルを提供することを課題とする。
【課題を解決するための手段】
【０００９】
上記の課題を解決するために、本発明は、横向きに設置される円筒形の篩網を備え、前記篩網を軸心まわりに回転駆動することにより、前記篩網に投入された被処理物の分級を行うトロンメルにおいて、前記篩網の内周近傍に打撃体を配置し、前記篩網の回転に伴って、前記打撃体が重力により篩網の内周面または篩網の内周面に取り付けられた被衝突部材との衝突と離反を繰り返すようにした衝撃付与機構を設けた構成を採用した。
【００１０】
上記の構成によれば、衝撃付与機構が、駆動源や打撃体の位置調整を行う機構を必要としない簡単な構造で篩網の目詰まりを防止できるものとなるし、その部品が篩網の下方に落下することもなく、安定して分級処理を行うことができる。
【００１１】
前記衝撃付与機構は、前記被衝突部材として、前記篩網の内周面から突出し、その先端が閉塞された筒部材を設け、前記筒部材の内部に前記打撃体を筒部材の軸方向に移動可能に保持したものを採用することができる。この場合、前記筒部材の内面に、前記篩網の回転に伴って筒部材が上昇するときに、前記筒部材が篩網の周方向の所定位置に達するまで前記打撃体の筒部材先端側への移動を阻止する突起を設けるようにすれば、より効果的に打撃体を筒部材先端の閉塞部に衝突させることができ好ましい。
【００１２】
あるいは、前記衝撃付与機構として、前記打撃体となるハンマーの基端部を、前記篩網の内周面に回動自在に取り付けたものを採用することもできる。
【発明の効果】
【００１３】
本発明のトロンメルは、上述したように、篩網の回転に伴って、篩網の内側に設けた打撃体を重力により篩網内周面または被衝突部材と衝突させる衝撃付与機構を設けて、篩網の目詰まりを防止するようにしたものであるから、衝撃付与機構の構造が簡単で、その部品が篩網の下方に落下することもなく、安定して分級処理を行うことができる。
【図面の簡単な説明】
【００１４】
【図１】第１実施形態のトロンメルの側面断面図
【図２】図１の衝撃付与機構の構造および動作の説明図（正面断面図）
【図３】図１の変形例の衝撃付与機構の構造および動作の説明図（正面断面図）
【図４】第２実施形態のトロンメルの衝撃付与機構の構造および動作の説明図（正面断面図）
【発明を実施するための形態】
【００１５】
以下、図面に基づき、本発明の実施形態を説明する。図１および図２は第１の実施形態を示す。このトロンメルは、横向きに設置される円筒形の篩網１と、篩網１の内周面に取り付けられた螺旋羽根２と、篩網１の内側に設けられた衝撃付与機構３とを備え、石灰石処理工程において図示省略したボールミルで破砕された石灰石（被処理物）の分級処理を行うものである。
【００１６】
前記篩網１は、一端側（図１の右側）の開口が投入口１ａ、他端側（図１の左側）の開口が排出口１ｂとなっており、その投入口１ａが前記ボールミルの排出端に連続するように略水平に配置され、回転自在に支持されている。また、篩網１の内周面には、軸方向に延びる補強用のリブ４が複数設けられている。
【００１７】
そして、この篩網１を図示省略したモータで軸心まわりに一定方向に回転駆動すると（図２参照）、ボールミルから篩網１の投入口１ａに投入された石灰石が螺旋羽根２の作用により排出口１ｂに向かって送られていき、その途中で篩網１の篩目よりも小さい細粒の石灰石が篩目から下方へ落下するようになっている。篩網１の篩目から落下した石灰石は、篩網１の下方に設置された製品用シュート（図示省略）で回収される。一方、篩網１の篩目よりも大きい粗粒の石灰石は、排出口１ｂから排出されてリターン用シュート（図示省略）で回収され、石灰石処理工程の最初に戻されて再度破砕処理される。
【００１８】
前記衝撃付与機構３は、篩網１の内周面から突出し、その先端が閉塞された筒部材５にボール６を装入したもので、篩網１の長手方向の２箇所において周方向に等間隔で３つずつ設けられている。その筒部材５は、断面が正方形の鋼製の角筒であり、篩網１の径方向に対して回転方向に傾いた状態で、篩網１の内周面に取り付けられている。また、ボール６は、鋼製で、その直径が筒部材５の断面の一辺の約１／２とされ、筒部材５内で筒部材５の軸方向に移動可能に保持されている。そして、筒部材５の回転方向後側の側壁の内面には、先端からボール６一個分程度離れた位置に、後述するようにボール６の筒部材５内での軸方向移動を妨げる角棒状の突起７が設けられている。その突起７の高さは、ボール６の直径の１／３程度とされている。
【００１９】
次に、前記衝撃付与機構３の作用について、図２に基づいて説明する。篩網１を前述のように一定方向に回転駆動すると、篩網１の下側で先端を上方に向けていた筒部材５は、篩網１の回転に伴って姿勢を変えながら上昇していく。このとき、その筒部材５の全体が水平方向を向くまでは、ボール６は重力により篩網１の内周面に当接している。
【００２０】
このようにして上昇していく筒部材５が先端を下方に向けるようになると、ボール６は重力により筒部材５の先端側へ転がり、筒部材５内面の突起７に当接することにより一旦停止する。そして、筒部材５が篩網１の頂点を少し超えて周方向の所定位置に達し、筒部材５の姿勢が垂直に近い下向きになると、ボール６が重力により突起７を乗り越えて落下し、筒部材５先端の閉塞部５ａに衝突する。すなわち、筒部材５が篩網１の内周面に取り付けられた被衝突部材、ボール６が打撃体となっており、このボール６が筒部材５の閉塞部５ａに衝突する衝撃が篩網１に伝わることにより、篩網１の篩目に詰まった石灰石が篩網１内に落下する。
【００２１】
その後、筒部材５は下降していく途中で水平方向を向き、筒部材５がさらに下降して先端を上方に向けるようになると、ボール６が重力により筒部材５の基端側へ転がり、篩網１の内周面に当接する。なお、このときには、筒部材５内面の突起７はボール６の移動を妨げない。
【００２２】
上記の衝撃付与機構３の一連の動作は篩網１が回転している間ずっと繰り返され、これにより篩網１の目詰まりが防止される。
【００２３】
このトロンメルは、上述したように、篩網１の内周面に取り付けた筒部材５にボール６を装入し、篩網１の回転に伴って、ボール６が重力により筒部材５の先端の閉塞部５ａとの衝突と離反を繰り返すようにした衝撃付与機構３を設けて、篩網１の目詰まりを防止するようにしたので、衝撃付与機構３の部品が篩網１の下方に落下することがなく、運転を継続しながら篩網１の目詰まりを防止する効果が得られ、安定して石灰石の分級処理を行うことができ、生産性の向上に寄与できる。
【００２４】
しかも、衝撃付与機構３は、前述の回転軸に打撃体を取り付けたものに比べて、駆動源や打撃体の位置調整を行う機構を必要としない簡単な構造なので、大幅なコストの低減が図れるし、打撃体の位置調整等が不要でメンテナンスもしやすいものとなっている。
【００２５】
図３は衝撃付与機構の変形例を示す。この衝撃付与機構８は、図２に示した筒部材５に代えて、回転方向後側に段差面９ａを有する側面視Ｌ字状の筒部材９を用いており、篩網１の周方向に等間隔で４つ設けられている。
【００２６】
この変形例の衝撃付与機構８では、前記Ｌ字状の筒部材９が、篩網１の最下点および頂点にあるときにその段差面９ａが略水平を向くように配置されている。そして、筒部材９が篩網１の下側から上昇していく間は、ボール６が筒部材９の段差面９ａよりも基端側にあり、筒部材９が篩網１の頂点をわずかに超えると、ボール６が重力により段差面９ａを転がって落下し、筒部材９先端の閉塞部９ｂに衝突する。すなわち、筒部材９の段差面９ａが図２の筒部材５の突起７の役割を果たしている。その後、筒部材９が下降していく途中でその先端を上方に向けるようになると、ボール６が重力により筒部材９の基端側へ転がって戻る。
【００２７】
したがって、この変形例でも、ボール６が重力により筒部材９先端の閉塞部９ｂに衝突するときの衝撃が篩網１に伝わることにより、篩網１の篩目に詰まった石灰石が篩網１内に落下し、篩網１の目詰まりが防止される。
【００２８】
図４は第２の実施形態を示す。この実施形態は、第１実施形態をベースとし、衝撃付与機構１０として、打撃体となるハンマー１１の基端部を、篩網１の内周面から突出する取付部１２に回動自在に取り付けたものである。
【００２９】
前記衝撃付与機構１０は、篩網１の回転に伴って、ハンマー１１が篩網１の下側から回転方向前側に倒れた姿勢で上昇していき、垂直に立った姿勢になった後、重力により基端部を中心として回転方向後側へ回動し、先端部で篩網１内周面に衝突する。その後、ハンマー１１は先端を下方に向けて篩網１内周面にぶら下がる姿勢で篩網１の頂点を超え、下降していく途中で先端部が回転方向前側で篩網１内周面に当接する。
【００３０】
すなわち、この第２実施形態では、篩網１内に配置したハンマー１１が重力により篩網１内周面に衝突するときの衝撃で篩網１の篩目に詰まった石灰石を落下させるようになっている。したがって、第１実施形態と同様、簡単な構造で篩網１の目詰まりを防止できるし、衝撃付与機構１０の部品が篩網１の下方に落下することもなく、安定して石灰石の分級処理を行える。
【００３１】
なお、本発明の衝撃付与機構は、上述した各実施形態のものに限らず、篩網の回転に伴って、打撃体が重力により篩網の内周面または篩網の内周面に取り付けられた被衝突部材との衝突と離反を繰り返すものであればよい。また、本発明は、実施形態のような石灰石を分級するトロンメルだけでなく、篩目の目詰まりを生じやすい被処理物の分級処理を行うトロンメルに有効に適用できる。
【符号の説明】
【００３２】
１  篩網
３  衝撃付与機構
５  筒部材
５ａ  閉塞部
６  ボール
７  突起
８  衝撃付与機構
９  筒部材
９ａ  段差面
９ｂ  閉塞部
１０  衝撃付与機構
１１  ハンマー
１２  取付部
【図１】
2015042386.tif 000003
【図２】
2015042386.tif 000004
【図３】
2015042386.tif 000005
【図４】
2015042386.tif 000006